(57)【要約】      （修正有）【課題】筋交い固定装置が容易にスライドしない折り畳み式棚を提供する。【解決手段】折り畳み式棚において、筋交いを掛け止めピン３２に固定するための筋交い固定装置３４を筋交いにスライド可能に設ける。筋交い固定装置３４は、案内部材４０と、掛け外れ防止部材４２と、スライド防止カバー４４とを含む。掛け止めピン３２は掛け外れ防止部材４２の切り込み内に嵌り込むと、スライド防止カバー４４の突出部４８により掛け止めピン３２が掛け止めされる。【選択図】図１１
0003153013.tif 000002
【実用新案登録請求の範囲】
【請求項１】
使用時に互いに対向して立てられ、収納時に互いに重ね合わせられる前面部材及び後面部材と、
前記前面部材又は前記後面部材の側面に突出して設けられる掛け止めピンと、
前記前面部材と前記後面部材との間に架け渡され、前記掛け止めピンを受け入れるために形成された切り込みを有する筋交いと、
前記筋交いにスライド可能に設けられる筋交い固定装置とを備え、
前記筋交い固定装置は、
前記掛け止めピンを受け入れるために形成された切り込みを有する掛け外れ防止部材と、
前記掛け外れ防止部材の切り込みを覆うように設けられるスライド防止カバーとを含み、
前記スライド防止カバーは、前記掛け外れ防止部材側に設けられる突出部を有する、折り畳み式棚。
【請求項２】
請求項１に記載の折り畳み式棚であってさらに、
前記折り畳み式棚の両側であって前記前面部材と前記後面部材との間に設けられる中央支柱と、
前記前面部材と前記中央支柱との間に架け渡され、前記前面部材及び前記中央支柱と軸で回転可能に支持される前部棚受けと、
前記後面部材と前記中央支柱との間に架け渡され、前記後面部材及び前記中央支柱と軸で回転可能に支持される後部棚受けと、
前記前部棚受けの上に載せられる前部棚板と、
前記後部棚受けの上に載せられる後部棚板とを備える、折り畳み式棚。
【請求項３】
請求項２に記載の折り畳み式棚であって、
前記前部棚受けは、前記軸周りに突出して形成され、前記前面部材又は前記中央支柱と接触する滑り面を含み、
前記後部棚受けは、前記軸周りに突出して形成され、前記後面部材又は前記中央支柱と接触する滑り面を含む、折り畳み式棚。
【請求項４】
請求項２に記載の折り畳み式棚であって、
前記前部棚受け又は前記後部棚受けは１枚の板から形成され、
前記前部棚受け又は前記後部棚受けは、
前記前面部材又は前記後面部材と軸で回転可能に支持される側板と、
前記側板の下端から内側に向かって水平に伸び出す底板と、
前記側板から延び出し、前記中央支柱と軸で回転可能に支持される腕板と、
前記側板と前記腕板との間の境界部分を内側に向かって押し出すことにより形成された底板補助部を含む、折り畳み式棚。
【考案の詳細な説明】
【技術分野】
【０００１】
本考案は、折り畳み式棚に関し、さらに詳しくは、筋交いとそれを固定するための筋交い固定装置とを備える折り畳み式棚に関する。
【背景技術】
【０００２】
棚は一般に、物品を保管したり、商品を陳列したりするために、長期間同じ場所に設置される場合が多い。しかし、展示会場やイベント会場等で用いられる棚は短期間しか設置されない。したがって、組立・解体作業に長時間を要する棚は好ましくない。
【０００３】
特開２００６−１９８０３９号公報（特許文献１）には、組立の際にビス等の留め具を不要とすることができ、しかも、搬送の際にはコンパクトにすることができる折り畳み自在の棚が開示されている。支持部材に棚板を回動自在に支持できるようにし、対向する支持部材間に棚板を上下方向に複数設け、対向する支持部材が対向する支持部材間が棚板の回動に伴って離間できるようにしている（要約参照）。また、中央部の支持部材から両側の支持部材に向かってリンクを設け、さらに、リンクの先端部に上下方向の移動可能なスライダを設けている（図５、段落００１０参照）。
【０００４】
特開２００５−４０１８５号公報（特許文献２）には、使用状態と折り畳み状態とに容易にロックし得る折り畳み式ラックが開示されている。前後左右に並ぶ４本の支柱の対向面により四隅部が枢着された最上段の棚板の前端部下面と、前側の左右の支柱の内側面とに、各段の棚板が水平をなす使用状態にロックし得るとともに、そのロック状態を解除することにより折り畳み可能とし、かつ折り畳み状態にロックし得る係止手段を設けている（要約参照）。また、前後の支柱の対向面の下部と上部には、それぞれ前上方と後上方に傾斜するブレースが取り付けられている（段落００２０参照）。下部のブレースの上端は、前部のブラケットの支持片間に挟入されて、左右方向を向くピンにより上下に回動自在に枢着されている（００２３段落）。下部ブレースの下端は、その下端の上面に形成された側面視逆Ｌ字状の係止溝を、後部支柱のブラケットの支持片間において、それに取付けた係止ピンに下方より嵌合した後、前部支柱のブラケットを、固定ネジを緩めて上方に移動させることにより、係止ピンが係止溝の奥部の長手方向を向く係止部内に位置して、外れ止めがなされ、後部支柱のブラケットに固定される（段落００２４参照）。ブレースの後端を係止ピンより外す際は、再度固定ネジを緩め、前部側のブラケットを下方に移動させる（段落００２５参照）。
【０００５】
上述したリンクやブレースのように、折り畳み式棚には筋交いが設けられる。筋交いは収納時には外されるが、使用時には容易に外れないようにしなければならない。そのためには、筋交い固定装置を筋交いにスライド可能に設け、使用時には筋交い固定装置で筋交いを固定し、筋交いが容易に外れないようにするのが好ましい。
【０００６】
しかしながら、筋交い固定装置が筋交いに沿ってスライドし、掛け止められていた筋交いが外れてしまうと、棚が不安定になるという問題があった。
【先行技術文献】
【特許文献】
【０００７】
【特許文献１】特開２００６−１９８０３９号公報
【特許文献２】特開２００５−４０１８５号公報
【考案の概要】
【考案が解決しようとする課題】
【０００８】
本考案の目的は、筋交い固定装置が容易にスライドしない折り畳み式棚を提供することである。
【課題を解決するための手段及び考案の効果】
【０００９】
本考案による折り畳み式棚は、前面部材と、後面部材と、掛け止めピンと、筋交いと、筋交い固定装置とを備える。前面部材及び後面部材は、使用時に互いに対向して立てられ、収納時に互いに重ね合わせられる。掛け止めピンは、前面部材又は後面部材の側面に突出して設けられる。筋交いは、前面部材と後面部材との間に架け渡され、掛け止めピンを受け入れるために形成された切り込みを有する。筋交い固定装置は、筋交いにスライド可能に設けられる。筋交い固定装置は、掛け外れ防止部材と、スライド防止カバーとを含む。掛け外れ防止部材は、掛け止めピンを受け入れるために形成された切り込みを有する。スライド防止カバーは、掛け外れ防止部材の切り込みを覆うように設けられる。スライド防止カバーは、突出部を有する。突出部は、掛け外れ防止部材側に設けられる。
【００１０】
本考案によれば、筋交い固定装置に掛け外れ防止部材の切り込みを覆うようにスライド防止カバーが設けられ、スライド防止カバーの掛け外れ防止部材側に突出部が設けられるため、掛け外れ防止部材の切り込みに掛け止めピンが受け入れられたとき、掛け止めピンはスライド防止カバーの突出部に引っ掛かる。その結果、筋交い固定装置は容易にスライドしない。
【００１１】
好ましくは、折り畳み式棚はさらに、中央支柱と、前部棚受けと、後部棚受けと、前部棚板と、後部棚板とを備える。中央支柱は、折り畳み式棚の両側であって前面部材と後面部材との間に設けられる。前部棚受けは、前面部材と中央支柱との間に架け渡され、前面部材及び中央支柱と軸で回転可能に支持される。後部棚受けは、後面部材と中央支柱との間に架け渡され、後面部材及び中央支柱と軸で回転可能に支持される。前部棚板は、前部棚受けの上に載せられる。後部棚板は、後部棚受けの上に載せられる。
【００１２】
この場合、中央支柱を上下に動かすだけで、折り畳み式棚を設置したり、収納したりすることができる。
【００１３】
好ましくは、前部棚受けは、前面部材又は中央支柱と接触する滑り面を含む。滑り面は、軸周りに突出して形成される。後部棚受けは、後面部材又は中央支柱と接触する滑り面を含む。滑り面は、軸周りに突出して形成される。
【００１４】
この場合、前部棚受けと前面部材又は中央支柱との間の摩擦及び後部棚受けと後面部材又は中央支柱との間の摩擦が小さくなるので、前部棚受け及び後部棚受けを容易に回転させることができる。
【００１５】
好ましくは、前部棚受け又は後部棚受けは１枚の板から形成される。前部棚受け又は後部棚受けは、側板と、底板と、腕板と、底板補助部とを備える。側板は、前面部材又は後面部材と軸で回転可能に支持される。底板は、側板の下端から内側に向かって水平に伸び出す。腕板は、側板から延び出し、中央支柱と軸で回転可能に支持される。底板補助部は、側板と腕板との間の境界部分を内側に向かって押し出すことにより形成される。
【００１６】
この場合、１枚の板から棚受けを形成しているので、側板と腕板との間の境界部分に底板を形成することができないが、境界部分を内側に向かって押し出すことにより底板補助部を形成しているため、棚板は底板及び底板補助部に渡り、前部棚受け又は後部棚受けの上に安定して載せられる。
【図面の簡単な説明】
【００１７】
【図１】本考案の実施の形態による折り畳み式棚の使用時における外観構成を示す斜視図である。
【図２】図１に示した折り畳み式棚の側面図である。
【図３】図２中の筋交い及びその周辺を拡大した側面図である。
【図４】図１に示した折り畳み式棚を収納するために筋交いを外した状態を示す斜視図である。
【図５】図４に示した折り畳み式棚の中央支柱を引き上げた状態を示す斜視図である。
【図６】図１に示した折り畳み式棚の収納時における外観構成を示す斜視図である。
【図７】図１中に示した筋交い固定装置の斜視図である。
【図８】図７に示した筋交い固定装置の下面図である。
【図９】図８に示した筋交い固定装置の側面図である。
【図１０】図９に示した筋交い固定装置を掛け止めピンに嵌め込む途中の状態を示す側面図である。
【図１１】図１０に示した筋交い固定装置を掛け止めピンに嵌め込んだ状態を示す側面図である。
【図１２】図１に示した折り畳み式棚の前部棚受けを示す図であり、（ａ）は正面図、（ｂ）は右側面図、（ｃ）は平面図である。
【図１３】図１に示した折り畳み式棚の後部棚受けを示す図であり、（ａ）は正面図、（ｂ）は左側面図、（ｃ）は平面図である。
【図１４】図１２に示した前部棚受け及び図１３に示した後部棚受けを結合した状態示す正面図である。
【図１５】図１４中のＸＶ−ＸＶ線に沿った断面図である。
【考案を実施するための形態】
【００１８】
以下、図面を参照し、本考案の実施の形態を詳しく説明する。図中同一又は相当部分には同一符号を付してその説明は繰り返さない。
【００１９】
図１及び図２を参照して、折り畳み式棚１０は、前面部材１２と、後面部材１４と、２本の中央支柱１６と、５枚の前部棚板１８と、５枚の後部棚板２０とを備える。折り畳み式棚１０の使用時に、前面部材１２と後面部材１４とは互いに対向して立てられる。前面部材１２は、２本の支柱２２と、２本の連結棒２４とを含む。両支柱２２は、折り畳み式棚１０の前面両角に立てられる。連結棒２４は、両支柱２２の間に架け渡され、両支柱２２に固着される。後面部材１４は、２本の支柱２６と、２本の連結棒２８とを含む。両支柱２６は、折り畳み式棚１０の後面両角に立てられる。連結棒２８は、両支柱２６の間に架け渡され、両支柱２６に固着される。
【００２０】
中央支柱１６は、折り畳み式棚１０の両側であって、前面部材１２と後面部材１４との間に設けられる。前部棚板１８は、前面部材１２と中央支柱１６との間に架け渡される。後部棚板２０は、後面部材１４と中央支柱１６との間に架け渡される。
【００２１】
折り畳み式棚１０はさらに、４本の筋交い３０と、４本の掛け止めピン３２（図３）と、４つの筋交い固定装置３４（左側面に現れる筋交い固定装置は図１に示されていない。）とを備える。筋交い３０は、前面部材１２の支柱２２と後面部材１４の支柱２６との間に架け渡される。筋交い３０の一方端部は、支柱２２又は２６と回転可能に軸で支持される。
【００２２】
図３を参照して、掛け止めピン３２は、前面部材１２の支柱２２及び後面部材１４の支柱２６の側面に突出して設けられる。筋交い３０は、２つの切り込み３６及び３８を有する。切り込み３６は、図１に示した使用時に支柱２６側の掛け止めピン３２を受け入れるために形成される。切り込み３８は、収納時（詳細は後述）に支柱２２側の掛け止めピン３２を受け入れるために形成される。筋交い３０は、切り込み３６で掛け止めピン３２に掛け止められる。
【００２３】
筋交い固定装置３４は、掛け止めピン３２に掛け止められた筋交い３０が容易に外れないように、筋交い３０を掛け止めピン３２に固定するためのものである。筋交い固定装置３４は、筋交い３０にスライド可能に設けられる。図１及び図２では、筋交い固定装置３４は筋交い３０に沿って最下部までスライドされている。この状態で、筋交い固定装置３４は筋交い３０を掛け止めピン３２に固定している。図３では、筋交い固定装置３４は筋交い３０に沿って最下部よりも少し上方にスライドされている。この状態では、筋交い固定装置３４は筋交い３０を掛け止めピン３２に固定していない。筋交い固定装置３４の詳細は後述する。
【００２４】
この折り畳み式棚１０を収納するために、まず図４に示すように、筋交い３０を掛け止めピン３２から外すと、筋交い３０は回転して鉛直下方に垂れ下がる。このとき、筋交い３０の切り込み３８（図３）に反対側の掛け止めピン３２（図３）が嵌り込む。さらに、筋交い固定装置３４は筋交い３０に沿って切り込み３８（図３）までスライドされている。この状態で、筋交い固定装置３４は筋交い３０を掛け止めピン３２（図３）に固定している。
【００２５】
次に図５に示すように、中央支柱１６を持ち上げると、前部棚板１８及び後部棚板２０が回転して中央でくの字状に折れ曲がる。さらに中央支柱１６を持ち上げると、図６に示すように、中央支柱１６を挟んで前面部材１２及び後面部材１４が互いに重ね合わせられる。これにより、折り畳み式棚１０は収納される。中央支柱１６を持ち上げ易いように、中央支柱１６の側面に取っ手を設けてもよい。
【００２６】
図７〜図９を参照して、筋交い固定装置３４は、案内部材４０と、掛け外れ防止部材４２と、スライド防止カバー４４とを含む。案内部材４０は、コの字状の横断面を有し、掛け外れ防止部材４２の裏面に固着される。案内部材４０と掛け外れ防止部材４２とにより形成される貫通孔４５に筋交い３０が挿入される。これにより、筋交い固定装置３４は、筋交い３０にスライド可能に設けられる。
【００２７】
掛け外れ防止部材４２は、半長円状の切り込み４６を有する。切り込み４６は、掛け止めピン３２を受け入れるために、掛け外れ防止部材４２の先端部に形成される。
【００２８】
スライド防止カバー４４は、掛け外れ防止部材４２の切り込み４６を覆うように設けられる。スライド防止カバー４４は、弾性を有する金属板等で形成される。スライド防止カバー４４の先端付近は、掛け外れ防止部材４２側に凸状に湾曲され、これにより突出部４８が形成される。
【００２９】
図３に示した筋交い３０を切り込み３６で掛け止めピン３２に掛け止めた後、筋交い固定装置３４を筋交い３０に沿って下方へスライドさせると、図１０に示すように、掛け止めピン３２の頭部３３がスライド防止カバー４４を押し上げ、掛け外れ防止部材４２とスライド防止カバー４４との間に入り込む。筋交い固定装置３４をさらに下方へスライドさせると、図１１に示すように、掛け止めピン３２は掛け外れ防止部材４２の切り込み４６（図７，図８）内に完全に嵌り込む。このとき、押し上げられていたスライド防止カバー４４は弾性力により元の位置に戻るので、スライド防止カバー４４の突出部４８により掛け止めピン３２が掛け止められる。
【００３０】
上述したように、第１に、掛け止めピン３２が掛け外れ防止部材４２の切り込み４６内に嵌り込むので、筋交い３０は回転することができない。第２に、スライド防止カバー４４の突出部４８により掛け止めピン３２が掛け止められるので、筋交い固定装置３４が筋交い３０に沿って上方へスライドしてしまうのを防止することができる。したがって、筋交い固定装置３４が筋交い３０に沿って上方へスライドし、さらに筋交い３０が回転して掛け止めピン３２から外れてしまうのを防止することができる。
【００３１】
折り畳み式棚１０はさらに、図１２に示した前部棚受け５０と、図１３に示した後部棚受け５２とを備える。図１２に示した前部棚受け５０は、図１に示した前部棚板１８の下に設けられる。前部棚受け５０は１枚の前部棚板１８の両側に設けられるので、全部で１０個設けられる。前部棚受け５０は、より具体的には、図１に示した前面部材１２と中央支柱１６との間に架け渡され、前面部材１２及び中央支柱１６と軸で回転可能に支持される。前部棚板１８は、前部棚受け５０の上に載せられ、前部棚受け５０と固定される。図１３に示した後部棚受け５２は、図１に示した後部棚板２０の下に設けられる。後部棚受け５２は１枚の後部棚板２０の両側に設けられるので、全部で１０個設けられる。後部棚受け５２は、より具体的には、図１に示した後面部材１４と中央支柱１６との間に架け渡され、後面部材１４及び中央支柱１６と軸で回転可能に支持される。後部棚板２０は、後部棚受け５２の上に載せられ、後部棚受け５２と固定される。
【００３２】
図１２を参照して、前部棚受け５０は、前面部材１２における支柱２２の内側側面と接触する滑り面５４と、中央支柱１６と接触する滑り面５６とを含む。滑り面５４，５６は、軸周りに突出して形成される。前部棚受け５０は、１枚の板から形成される。前部棚受け５０は、側板５８と、底板６０と、腕板６２と、底板補助部６４とを備える。側板５８は、前面部材１２の支柱２２と軸で回転可能に支持される。底板６０は、側板５８の下端から内側に向かって水平に伸び出す。底板６０は、１枚の板を折り曲げることにより形成される。底板６０は、前部棚板１８を乗せるために設けられる。腕板６２は、側板５８から延び出し、中央支柱１６と軸で回転可能に支持される。腕板６２は、１枚の板を折り曲げることにより形成された底板６０以外の部分で形成される。したがって、側板５８と腕板６２との間の境界部分には、底板６０が存在しない。そこで、側板５８と腕板６２との間の境界部分を内側に向かって押し出すことにより、底板補助部６４が形成されている。
【００３３】
図１３を参照して、後部棚受け５２は、後面部材１４における支柱２６の内側側面と接触する滑り面６６を含む。滑り面６６は、軸周りに突出して形成される。後部棚受け５２は、１枚の板から形成される。後部棚受け５２は、側板６８と、底板７０と、腕板７２と、底板補助部７４とを備える。側板６８は、後面部材１４の支柱２６と軸で回転可能に支持される。底板７０は、側板６８の下端から内側に向かって水平に伸び出す。底板７０は、１枚の板を折り曲げることにより形成される。底板７０は、後部棚板２０を乗せるために設けられる。腕板７２は、側板６８から延び出し、中央支柱１６と軸で回転可能に支持される。腕板７２は、１枚の板を折り曲げることにより形成された底板７０以外の部分で形成される。したがって、側板６８と腕板７２との間の境界部分には、底板７０が存在しない。そこで、側板６８と腕板７２との間の境界部分を内側に向かって押し出すことにより、底板補助部７４が形成されている。
【００３４】
前部棚受け５０及び後部棚受け５２は、図１４及び図１５に示されるように、互いに連結される。前部棚受け５０の腕板６２と後部棚受け５２の腕板７２とは重なり合わされ、中央支柱１６に軸で回転可能に支持される。したがって、中央支柱１６を引き上げると、前部棚受け５０が図１４上で反時計回りに回転し、後部棚受け５２が図１４上で時計回りに回転する。使用時は側板５８の側面と側板６８の側面とが当たり合っているので、中央支柱１６は上方向にしか移動しない。
【００３５】
上述したように、前部棚受け５０に滑り面５４，５６が形成され、かつ、後部棚受け５２に滑り面６６が形成されているため、前部棚受け５０と支柱２２及び中央支柱１６との間の摩擦並びに後部棚受け５２と支柱２６及び中央支柱１６との間の摩擦が小さくなるので、前部棚受け５０及び後部棚受け５２を容易に回転させることができる。
【００３６】
また、１枚の板から棚受け５０，５２を形成しているので、側板５８，６８と腕板６２，７２との間の境界部分に底板６０，７０を形成することができないが、境界部分を内側に向かって押し出すことにより底板補助部６４，７４を形成しているため、棚板１８，２０は底板６０，７０及び底板補助部６４，７４に渡り、前部棚受け５０及び後部棚受け５２の上に安定して載せられる。しかも、前部棚受け５０及び後部棚受け５２は１枚の板から形成されているため、製造コストを削減することができる。
【００３７】
上記実施の形態では、中央支柱１６を設けているが、前部棚板１８及び後部棚板２０を１枚の棚板で形成し、前面部材１２又は後面部材１４の一方を引き上げ、前面部材１２又は後面部材１４の他方に重ね合わせられるように構成してもよい。逆に、中央支柱１６を方側に１本だけ設けるのではなく、２本以上設けてもよい。
【００３８】
また、上記実施の形態では、スライド防止カバー４４を凸状に湾曲させることにより突出部４８を形成しているが、スライド防止カバー４４に突起物を設けることにより突出部を形成してもよい。
【００３９】
また、上記実施の形態では、掛け止めピン３２は径の大きい頭部３３を有しているが、単純な柱状でもよい。
【００４０】
また、上記実施の形態では、筋交い３０は軸で回転可能に支持されているが、両側で支柱２２及び２６と掛け止められるようにしてもよい。
【００４１】
また、前部棚受けの形状と後部棚受けの形状とは上記実施の形態と逆でもよい。また、前部棚受けの形状と後部棚受けの形状とを両側で対称にしてもよいが、前部棚受けの形状とそれと対角に位置する後部棚受けの形状とを同じにしてもよい。
【００４２】
また、上記実施の形態では、滑り面５４，５６を前部棚受け５０の両側に設けているが、一方側だけに設けても回転摩擦は低減される。
【００４３】
以上、本考案の実施の形態を説明したが、上述した実施の形態は本考案を実施するための例示に過ぎない。よって、本考案は上述した実施の形態に限定されることなく、その趣旨を逸脱しない範囲内で上述した実施の形態を適宜変形して実施することが可能である。
【符号の説明】
【００４４】
１０  折り畳み式棚
１２  前面部材
１４  後面部材
１６  中央支柱
１８  前部棚板
２０  後部棚板
２２，２６  支柱
３０  筋交い
３２  掛け止めピン
３４  筋交い固定装置
３６，３８，４６  切り込み
４２  掛け外れ防止部材
４４  スライド防止カバー
４８  突出部
５０  前部棚受け
５２  後部棚受け
５４，５６，６６  滑り面
５８，６８  側板
６０，７０  底板
６２，７２  腕板
６４，７４  底板補助部
【図１】
0003153013.tif 000003
【図２】
0003153013.tif 000004
【図３】
0003153013.tif 000005
【図４】
0003153013.tif 000006
【図５】
0003153013.tif 000007
【図６】
0003153013.tif 000008
【図７】
0003153013.tif 000009
【図８】
0003153013.tif 000010
【図９】
0003153013.tif 000011
【図１０】
0003153013.tif 000012
【図１１】
0003153013.tif 000013
【図１２】
0003153013.tif 000014
【図１３】
0003153013.tif 000015
【図１４】
0003153013.tif 000016
【図１５】
0003153013.tif 000017